(57)【特許請求の範囲】
【請求項１】
紙基材を主体とする胴部と、底部と、蓋部とを備える紙容器であって、前記胴部が紙の層の内側にガスバリア性などの密封性を有する層、一軸延伸されたプラスチックフィルム層、熱シール性を有する層をこの順で積層されてなり、ブランクの状態で、前記胴部の紙の層に２条の切れ込み線を前記一軸延伸されたプラスチックフィルム層の延伸方向と平行に直線状に設け、前記紙容器の前記胴部に周状に帯状の開封部を形成し、該帯状の開封部の外側端縁に摘まみ片を設け、該摘まみ片の両側にノッチを設け、該ノッチの先端部を前記切り込み線から１〜５ｍｍ内側に設けたことを特徴とする易開封性紙容器。
【発明の詳細な説明】
【０００１】
【発明の属する技術分野】
本発明は、ガスバリア性などの密封性を有するとともに、簡単に開封することができる易開封性紙容器に関するものである。
【０００２】
【従来の技術】
従来より、スナック菓子、インスタント食品などは、紙を主体とした種々な形の密封性のある紙容器に充填され、市場に流通されて消費に供されている。その中には、カップ形、円筒形などの形状もあり、それらの開封方法は、紙容器の胴部の周方向に帯状の開封部を設けたものが使われている。具体的には、紙容器の胴部の表面層である紙の層に切れ込み線を入れて、一定方向へ切れ易くしているか、あるいは紙容器の胴部の内周面の帯状の開封部に帯状のプラスチックフィルムを貼着し、帯状の開封部を補強し、一定幅で開封し易くしている。
【０００３】
【発明が解決しようとする課題】
しかし、これらの開封方法では、容易に開封できないという問題がある。前者の紙容器の胴部の表面層である紙の層に切れ込み線を入れるだけでは、帯状に引き裂いていく途中の段階で、細くなり、切れてしまうこともある。特に紙の目の方向と異なる方向、つまり木材繊維の配向方向と異なる方向に引き裂く場合はその傾向が大きい。また後者の紙容器の胴部の内周面の帯状の開封部に帯状のプラスチックフィルムを貼着し、帯状の開封部を補強する方法でも、紙の目方向や紙容器の材料構成により、引き裂き幅が一定でなくなったり、引き裂き方向の先端が先細りとなり、途中で切れたりする問題がある。さらに補強するための帯状のプラスチックフィルムを貼着する加工が必要であり、コストアップになっている。いずれの方法にしろ、開封し易くするために、紙の目の方向と平行に帯状の開封部を設ける必要がある。この場合、紙容器の胴部の紙の目の方向は横目となり、胴部の開口部にカールの加工ができないため、蓋材を一般的なフラットシールで行うことができず、密封するための特殊な方法をとる必要があるなどの問題点が多い。
【０００４】
そこで本発明は、紙容器の胴部に周方向に設けられた帯状の開封部を、紙の目の方向に関わらずに、一定幅で簡単そして確実に引き裂けるようにした易開封性紙容器を提供することを目的とする。
【０００５】
【課題を解決するための手段】
本発明は、上記のような課題を解決すべく検討した結果、紙基材を主体とする胴部と、底部と、蓋部とを備える紙容器であって、前記胴部が紙の層の内側にガスバリア性などの密封性を有する層、一軸延伸されたプラスチックフィルム層、熱シール性を有する層をこの順で積層されてなり、ブランクの状態で、前記胴部の紙の層に２条の切れ込み線を前記一軸延伸されたプラスチックフィルム層の延伸方向と平行に直線状に設け、前記容器の前記胴部に周状に帯状の開封部を形成してあることを特徴とする易開封性紙容器である。本発明によれば、ガスバリア性などの密封性があり、一軸延伸されたプラスチックフィルム層が延伸方向に破断されやすいことと、この延伸方向に合わせて胴部のうちで破断しにくい紙の層に２条の切れ込み線をあらかじめ設けておくことにより、紙の目の方向に関わらずに、胴部は２条の切れ込み線に沿って容易にかつ綺麗に破断される。
【０００６】
【発明の実施の形態】
上記の本発明について、図面を参照して以下に詳しく説明する。図１乃至図６は、本発明による易開封性紙容器を示す図である。
図１は本発明の易開封性紙容器Ａの一部を切欠断面とした側面図である。本発明の易開封性紙容器は、胴部１、底部２、そして蓋３からなる密封性を有する紙容器であり、胴部１の上端にカール部４が形成されているとともに、胴部１の上部側の周方向に、この胴部１を上下に２分割するための帯状の開封部５が設けられている。
【０００７】
図２は本発明の易開封性紙容器Ａの胴部１の材料構成および帯状の開封部５の切れ込み線６、６の断面を示している。図２に示すように、胴部１は、表面側より主体となる紙の層１０、接着層１１、ガスバリア性などの密封性を有する層１２、接着層１３、一軸延伸されたプラスチックフィルム層１４、そしてヒートシール性を有する層１５からなっている。
【０００８】
このうち、紙の層１０は、カップ原紙をはじめとした板紙が使用され、容器に保形性を付与するとともに、表面に美麗な印刷をするための印刷適性がよく、廃棄し易いという特徴がある。坪量は、容器の形態により異なるが、１００〜４００ｇ／ｍ2 が好ましい。
【０００９】
ガスバリア性などの密封性を有する層１２としては、種々のプラスチックフィルム、アルミニウム箔、アルミニウム蒸着をしたプラスチックフィルム、シリカなどの無機物を蒸着したプラスチックフィルムあるいはそれらの複合積層体などが使用される。
【００１０】
一軸延伸されたプラスチックフィルム層１４は、易開封性紙容器Ａを周方向に開封しやすくするためのものであり、一軸延伸されたポリエチレンフィルム、一軸延伸されたポリプロピレンフィルムなどが使用される。
【００１１】
接着層１１は、紙の層１０とガスバリア性などの密封性を有する層１２とを貼り合わせる層で溶融したポリエチレン樹脂を使い、押し出しコーティング法によって行われる。
【００１２】
接着層１３は、ガスバリア性などの密封性を有する層１２と一軸延伸されたプラスチックフィルム層１４とを貼り合わせる層で、二液型ウレタン系樹脂などが使用される。
【００１３】
ヒートシール性を有する層１５は、組み立て時において、胴貼り部のヒートシール、および胴部１と底部２、胴部１と蓋３のヒートシールを行うものであり、ポリエチレン樹脂、ポリプロピレン樹脂、ポリエステル樹脂などが使用される。主に、押し出しコーティング法により加工される。
【００１４】
また、帯状の開封部５の両側に設けられた切れ込み線６、６は、紙の層１０にのみ入れられる。切れ込み線６、６の深さは、少なくとも紙の厚さの１／２以上の深さとすることが好ましく、また、ガスバリア性などの密封性をもつ層１２に達しない程度の深さまで深く入れることが好ましい。
【００１５】
図３は帯状の開封部５の外側端縁の摘まみ片８の周辺を示している。摘まみ片８の両外側端線には、摘まみ片８を摘まみ、引っ張り、開封を始めるきっかけをつけるための一対のノッチ７、７を付けている。摘まみ片８の両側にノッチ７、７を設けた時の切り込み線６は、二つのノッチ７、７の先端部の１〜５ｍｍ外側に設けることが好ましい。なお、胴部１に設ける帯状の開封部５の位置は、特に限定されるものではない。
【００１６】
切り込み線６、６を設ける方法は、打ち抜き工程で、紙の層１０、ガスバリア性などの密封性を有する層１２、一軸延伸されたプラスチックフィルム層１４、そして熱シール性を有する層１５を積層した積層体の紙の面側から刃を入れて、深さを調節している。紙の層１０のみに切り込み線６、６を設けるように調節することは、かなり難しく、他の層に及んでしまう危険性もある。この危険性を防ぐために、まず、切れ込み線６、６をあらかじめ入れておいた紙の層１０に、接着層１１、ガスバリア性などの密封性を有する層１２、接着層１３、一軸延伸されたプラスチックフィルム層１４、そして熱シール性を有する層１５を積層する方法もある。この方法によれば、紙の層１０を貫通した切れ目、あるいは貫通したミシン目を入れることができる。
【００１７】
開封にあたっては、摘まみ片８を持ち、帯状の開封部５を引っ張れば、切り込み線６、６に沿って胴部１を破断するように開封がなされる。内面での引き裂きによる開封は、摘まみ片８のノッチ７、７できっかけを作り、一軸延伸プラスチックフィルム１４でリードし、外面での引き裂きによる開封は、摘まみ片８のノッチ７、７できっかけを作り、切り込み線６、６が紙の目の方向への紙の破れや広がりを防いでいる。
【００１８】
さらに、図４には、開封後の再封性を考慮した形態の易開封性紙容器Ｂを示している。帯状の開封部５を引っ張って開封した後、分断された内容物を収納している本体から、一部内容物を取り出した後、再び簡単に封をする方法として、開口部を内側に折り込む形態である。このような形態は、図５に示すように、ブランクにあらかじめ折り込み用罫線９を入れておくことで、帯状の開封部５による開封後に折り込み用罫線９の上部に位置する開口部を内側に折り込むことができ、簡単に再封することができる。
【００１９】
紙容器の形態は、テーパーのある円筒形に必ずしも限定されるものではなく、円筒形、開口部断面形状が三角形、四角形、五角形、六角形などの多角形状である角筒形、箱型など任意の形態であってもよい。
【００２０】
【実施例】
次に、本発明について実施例をあげて、さらに具体的に説明する。
易開封性紙容器Ａの本体は、胴部１の材料構成が、表面からカップ原紙２５０ｇ／ｍ2 ／ポリエチレン１５μ／アルミニウム箔９μ／接着剤／一軸延伸ポリエチレン３０μ／ポリエチレン３０μからなる積層体で、底部２の材料構成が、表からポリエチレン３０μ／カップ原紙２５０ｇ／ｍ2 ／ポリエチレン１５μ／アルミニウム箔９μ／ポリエチレン４０μからなる積層体を使用している。そして、胴部１となる積層体をほぼ扇形のブランクに打ち抜くと同時に、図５に示すように、１０ｍｍ巾の摘まみ片８、そして摘まみ片８の両面に一対のノッチ７、７を設け、ついで、ノッチ７、７の各先端から２ｍｍ外側に切れ込み線６、６、そして折り込み用罫線９を加工した。紙の目の方向は、縦方向（図５において上下方向）としている。このブランクと底部２の材料を用い紙カップ成型機で、図６−ａに示すように、フランジにカール部４を持つカップ状の紙容器を作製した。カップ状の紙容器に内容物を充填した後、蓋２として、材料構成が、晒クラフト紙９０ｇ／ｍ2 ／接着剤／アルミニウム７μ／ポリエチレン１５μ／ホットメルト接着剤５０μからなる積層体を用い、カップ状の紙容器のカール部４と蓋３のホットメルト接着剤の面とをトレーシーラーで密封して本発明の易開封性紙容器を得た。そして、本発明の易開封性紙容器は、店頭における陳列時のディスプレイ効果や、消費者による使用時の取り扱い性を高めた。図６−ｂに示すように、一般的な紙カップを倒立した形態の易開封性紙容器Ｃのように作製して使用してもよいものである。
【００２１】
【発明の効果】
本発明の易開封性紙容によれば、ガスバリア性などの密封性があり、一軸延伸されたプラスチックフィルム層が延伸方向に破断されやすいことと、この延伸方向に合わせて胴部のうちで破断しにくい紙の層に２条の切れ込み線をあらかじめ設けておくことにより、紙の目の方向に関わらずに、胴部は２条の切れ込み線に沿って一定の幅で容易にかつ綺麗に破断することができる。
【図面の簡単な説明】
【図１】本発明による易開封性紙容器の一実施例を示す一部を切欠断面とした概略側面図である。
【図２】本発明による易開封性紙容器の胴部の材料構成、および帯状の開封部の切れ込み線の断面図である。
【図３】本発明による易開封性紙容器の帯状の開封部の外側端縁の摘まみ片周辺を示す図である。
【図４】本発明による易開封性紙容器の他の実施例における開封後の再封性を考慮した形態を示す斜視図である。
【図５】本発明による易開封性紙容器の他の実施例における胴部のブランクを示す平面図である。
【図６】本発明による易開封性紙容器の一実施例を示す形態の斜視図である。
【符号の説明】
Ａ  易開封性紙容器
Ｂ  易開封性紙容器（再封性のある形態）
Ｃ  易開封性紙容器（倒立した形態）
１  胴部
２  底部
３  蓋
４  カール部
５  帯状の開封部
６  切り込み線
７  ノッチ
８  摘まみ片
９  折り込み罫線
１０  紙の層
１１  接着層
１２  一軸延伸されたプラスチックフィルム層
１３  接着層
１４  ガスバリア性などの密封性を有する層
１５  熱シール性を有する層
【図１】
0003898248.tif 000002
【図２】
0003898248.tif 000003
【図３】
0003898248.tif 000004
【図４】
0003898248.tif 000005
【図５】
0003898248.tif 000006
【図６】
0003898248.tif 000007